(57)【要約】【課題】商品リストにつき生活者の家族等が利用することができる商品情報整理・提供支援システムを提供する。【解決手段】当該システム１は、端末（ＴＶ１０・ＰＣ１２・携帯端末１４，１６）に、複数の商品に係るチラシデータ２６を送信して表示させる商品情報サーバ２と、端末において前記チラシデータ２６から商品を選択することで作成され送信された商品リスト６２を受信する商品リストサーバ６とを備えており、チラシデータ２６は、各商品の占める範囲を表す商品範囲データ１０４を有しており、端末における当該範囲への入力に基づく商品の選択に供され、商品リストサーバ６は、受信した商品リスト６２を、リストＩＤ１１１を付した状態で格納する商品リストＤＢ６４を有しており、いずれかの端末から当該リストＩＤ１１１を指定した商品リスト６２の表示要求を受信すると、当該リストＩＤ１１１に係る商品リスト６２を要求元の端末へ送信する。【選択図】図１
2009276836.tif 000002
【特許請求の範囲】
【請求項１】
複数の端末と通信可能に接続されたコンピュータにより構築される商品情報整理・提供支援システムであって、
当該端末に、複数の商品に係るチラシデータを送信して表示させる商品情報提供部と、
前記端末において前記チラシデータから前記商品を選択することで作成され送信された商品リストを受信する商品リスト提供部と
を備えており、
前記チラシデータは、その全体画像データにおいて各商品の占める範囲を表す商品範囲データを有しており、前記端末における当該範囲への入力に基づく前記商品の選択に供され、
前記商品リスト提供部は、受信した前記商品リストを、互いに識別可能とする識別情報を付した状態で格納する商品リストデータベースを有しており、いずれかの前記端末から当該識別情報に対応する情報を指定した前記商品リストの表示要求を受信すると、当該識別情報に係る商品リストを要求元の前記端末へ送信する
ことを特徴とする商品情報整理・提供支援システム。
【請求項２】
前記チラシデータを印刷して紙チラシを作成する紙チラシ印刷手段を更に備えている
ことを特徴とする請求項１に記載の商品情報整理・提供支援システム。
【請求項３】
前記紙チラシは、その元となった前記チラシデータを他のチラシデータと識別するチラシ識別情報に対応するコードを有しており、
前記商品情報提供部は、前記端末から前記コードあるいはこれに対応する情報を受信すると、当該コードないし情報に係るチラシデータを当該端末へ送信する
ことを特徴とする請求項２に記載の商品情報整理・提供支援システム。
【請求項４】
前記チラシデータは、所定の商品群を示す商品エリアデータを有しており、前記端末における当該商品群ごとの前記チラシデータの拡大表示に供される
ことを特徴とする請求項１ないし請求項３のいずれかに記載の商品情報整理・提供支援システム。
【請求項５】
前記チラシデータは、前記各商品に関する商品情報を有しており、前記端末における切換入力に応じて前記商品情報の表示がなされる
ことを特徴とする請求項１ないし請求項４のいずれかに記載の商品情報整理・提供支援システム。
【請求項６】
前記端末における前記商品情報の表示の各表示部分に対する入力によっても、前記商品の選択がなされる
ことを特徴とする請求項５に記載の商品情報整理・提供支援システム。
【請求項７】
前記商品情報は、ＪＡＮコードあるいは業界で定められた商品認識のためのコードと対応づけられている
ことを特徴とする請求項５又は請求項６に記載の商品情報整理・提供支援システム。
【発明の詳細な説明】
【技術分野】
【０００１】
本発明は、生活者による各種商品情報の整理ないし提供を支援する商品情報整理・提供支援システムに関する。
【背景技術】
【０００２】
従来の商品情報整理支援システムとして、下記特許文献１に記載の買い物支援システムが知られている。この買い物支援システムにおいて、生活者は、ＰＣを用い、電子チラシ等から商品を選択して買い物リストを作成可能であり、作成された買い物リストは、当該ＰＣから、生活者の携帯端末ないしその商品を取り扱う店舗に送信される。
【０００３】
【特許文献１】特開２００６−２３６０１４号公報
【発明の開示】
【発明が解決しようとする課題】
【０００４】
上記買い物支援システムでは、買い物リストにつき、店舗を措くと生活者のＰＣと携帯電話でしか利用できず、生活者の家族等が利用することはできない。又、商品情報が電子チラシ等ＰＣで扱える電子データでしか提供されず、紙のチラシ（紙チラシ）等との連係につき考慮されていない。
【０００５】
そこで、請求項１に記載の発明は、商品リストにつき生活者の家族等が利用することができる商品情報整理・提供支援システムを提供することを目的としたものである。
【課題を解決するための手段】
【０００６】
上記目的を達成するために、請求項１に記載の発明は、複数の端末と通信可能に接続されたコンピュータにより構築される商品情報整理・提供支援システムであって、当該端末に、複数の商品に係るチラシデータを送信して表示させる商品情報提供部と、前記端末において前記チラシデータから前記商品を選択することで作成され送信された商品リストを受信する商品リスト提供部とを備えており、前記チラシデータは、その全体画像データにおいて各商品の占める範囲を表す商品範囲データを有しており、前記端末における当該範囲への入力に基づく前記商品の選択に供され、前記商品リスト提供部は、受信した前記商品リストを、互いに識別可能とする識別情報を付した状態で格納する商品リストデータベースを有しており、いずれかの前記端末から当該識別情報に対応する情報を指定した前記商品リストの表示要求を受信すると、当該識別情報に係る商品リストを要求元の前記端末へ送信することを特徴とするものである。
【０００７】
請求項２に記載の発明は、上記目的に加えて、紙チラシを効率良く容易に提供する目的を達成するため、上記発明にあって、前記チラシデータを印刷して紙チラシを作成する紙チラシ印刷手段を更に備えていることを特徴とするものである。
【０００８】
請求項３に記載の発明は、上記目的に加えて、紙チラシとの連係を図る目的を達成するため、上記発明にあって、前記紙チラシは、その元となった前記チラシデータを他のチラシデータと識別するチラシ識別情報に対応するコードを有しており、前記商品情報提供部は、前記端末から前記コードあるいはこれに対応する情報を受信すると、当該コードないし情報に係るチラシデータを当該端末へ送信することを特徴とするものである。
【０００９】
請求項４に記載の発明は、上記目的に加えて、電子チラシの閲覧や商品リストの作成を容易にする目的を達成するため、上記発明にあって、前記チラシデータは、所定の商品群を示す商品エリアデータを有しており、前記端末における当該商品群ごとの前記チラシデータの拡大表示に供されることを特徴とするものである。
【００１０】
請求項５に記載の発明は、上記目的に加えて、生活者が所望する詳細な商品情報を提供する目的を達成するため、上記発明にあって、前記チラシデータは、前記各商品に関する商品情報を有しており、前記端末における切換入力に応じて前記商品情報の表示がなされることを特徴とするものである。
【００１１】
請求項６に記載の発明は、上記目的に加えて、商品リストの作成を一層容易にする目的を達成するため、上記発明にあって、前記端末における前記商品情報の表示の各表示部分に対する入力によっても、前記商品の選択がなされることを特徴とするものである。
【００１２】
請求項７に記載の発明は、上記目的に加えて、簡単確実にシステムの各部間やシステムと外部機器との間等において連係をとる目的を達成するため、上記発明にあって、前記商品情報は、ＪＡＮコードあるいは業界で定められた商品認識のためのコードと対応づけられていることを特徴とするものである。
【発明の効果】
【００１３】
本発明によれば、商品リストを各種端末に対して送信する商品リスト提供部を備えている。よって、商品リストを様々な場所で閲覧することができるし、商品リストを共有して買い物の依頼や生活者側からの（生活者同士の）商品情報の提供等に供することができるし、商品リストを共同作成して商品に関するコミュニケーションツールを生活者に提供することもできる、という効果を奏する。
【発明を実施するための最良の形態】
【００１４】
以下、本発明に係る実施の形態の例につき、適宜図面に基づいて説明する。なお、当該形態は、下記の例に限定されない。
【００１５】
［構成等］
図１は当該形態に係る商品情報整理・提供支援システム（システム）１の構成説明図である。システム１は、商品情報整理の支援者Ｐ側において、商品情報提供部としての商品情報サーバコンピュータ（商品情報サーバ）２・原稿制作コンピュータ４・商品リスト提供部としての商品リストサーバコンピュータ（商品リストサーバ）６を有すると共に、商品情報整理の支援を受ける複数の生活者（消費者）Ｕ１，Ｕ２・・（以下まとめて生活者Ｕということがある）側のそれぞれにおいて、テレビジョン受像機（ＴＶ）１０・パーソナルコンピュータ（ＰＣ）１２・携帯電話を始めとする携帯端末１４，１６等の任意のデジタル機器（端末）を有する。
【００１６】
支援者Ｐ側の商品情報サーバ２・原稿制作コンピュータ４・商品リストサーバ６は、それぞれ、ＬＡＮ・ＷＡＮあるいはインターネットＮ等によって、互いに通信可能に接続されている。又、商品情報サーバ２・原稿制作コンピュータ４・商品リストサーバ６と、ＴＶ１０・ＰＣ１２・携帯端末１４，１６のそれぞれとは、インターネットＮや放送波等を介して、任意の相手方に対し通信可能に接続されている。更に、ＴＶ１０は、映像の他、デジタルデータも受信可能である。なお、上記各場合において、インターネットＮに代えて、あるいはインターネットＮと共に、専用線等を介して通信可能としても良い。又、ＴＶ１０において、インターネットＮで通信せずに、あるいはインターネットＮの通信と併せて、地上デジタル放送の双方向通信機能を利用して良い。
【００１７】
商品情報サーバ２は、図示しない制御手段（ＣＰＵ等）・記憶手段（ハードディスク等）・通信手段（モデム等）を有しており、その記憶手段には、当該制御手段により実行される商品情報提供プログラム２０と、複数の商品情報２２を格納する商品情報データベース（商品情報ＤＢ）２４と、複数のチラシデータ２６を格納するチラシデータベース（チラシＤＢ）２８とが記憶されている。
【００１８】
又、商品情報提供プログラム２０を実行する商品提供サーバ２の制御手段（以下端的に商品提供サーバ２を主体として記載することがあり、他のコンピュータについても同様とする）は、当該通信手段を制御して、単数あるいは複数のテレビ局ＴやインターネットＮに対し、任意のチラシデータ２６を送信可能である。更に、商品提供サーバ２は、原稿制作コンピュータ４ないし商品リストサーバ６に対し、任意の商品情報２２を送信可能である。
【００１９】
原稿制作コンピュータ４は、商品情報サーバ２と同様に、制御手段・記憶手段・通信手段を有しており、その記憶手段に原稿制作プログラム４０が記憶されている。原稿制作コンピュータ４は、商品情報サーバ２の商品情報ＤＢ２４から通信により得た商品情報２２を一時的に当該記憶手段に記憶した上で参照し、チラシデータ２６を生成して、当該記憶手段に一時的に記憶する。
【００２０】
原稿制作コンピュータ４は、記憶したチラシデータ２６を、商品情報サーバ２に対して当該通信手段により送信したり、記憶したチラシデータ２６に基づき、紙のチラシ（紙チラシ）４２を生成すべく図示しない印刷機（紙チラシ印刷手段）により印刷をしたりする。商品情報サーバ２は、チラシデータ２６を受信すると、チラシＤＢ２８に関連情報と共に格納する。紙チラシ４２は、図示しない新聞配送者・ダイレクトメール発送者・宅配者等を介して、生活者Ｕの元へ達する。紙チラシ４２には、チラシデータ２６の種類等に対応するコード４４が付されている。
【００２１】
商品リストサーバ６は、商品情報サーバ２と同様に、制御手段・記憶手段・通信手段を有しており、その記憶手段に商品リスト提供プログラム６０と、複数の商品リスト６２を格納する商品リストデータベース（商品リストＤＢ）６４とが記憶されている。商品リストサーバ６は、その通信手段により、生活者Ｕ側と、インターネットＮを介して各商品リスト６２を送受信可能である。各商品リスト６２の送受信は、インターネットＮに代えて、あるいはインターネットＮと共に、各種回線・専用線等を介して通信可能としても良い。
【００２２】
なお、商品情報サーバ２・原稿制作コンピュータ４・商品リストサーバ６について、前二者を統合したり、後二者を統合したり、全てを統合したり、更に別のコンピュータにおいて機能を分割したりして良い。又、チラシＤＢ２８を原稿制作コンピュータ４のみにあるいは原稿制作コンピュータ４と共に配置する等、各種データベースの帰属を変更することができる。
【００２３】
一方、ＴＶ１０は、ＴＶ局Ｔ等が発する放送波（データ放送）に乗ったチラシデータ２６を、図示しない受信手段により受信し、表示手段により表示する。又、ＴＶ１０は、表示されたチラシデータ２６やその周りのボタン等から商品や機能を選択する選択手段（上下左右キー・決定キー・取消キー・数字キーを搭載したリモコン等）を有しており、単数又は複数の商品を選択していくことで商品リスト６２を作成可能となっていると共に、機能を選択することで当該機能を実行可能となっている。ＴＶ１０は、作成中のあるいは作成した商品リスト６２を一時的に記憶する図示しない記憶手段を備えている。更に、ＴＶ１０は、図示しない通信手段を搭載しており、インターネットＮを利用した通信が可能となっていて、商品リスト６２を送受信可能である。なお、ＴＶ局Ｔは、商品情報サーバ２より受信したチラシデータ２６につき、放送波に乗る形式に変換する。
【００２４】
ＰＣ１２は、図示しない通信手段及びブラウザを搭載しており、インターネットＮを介してチラシデータ２６を受信し、表示手段において表示する。又、ＰＣ１２は、表示されたチラシデータ２６やその周りのボタン等から商品や機能を選択する選択手段（上記リモコンと同様のキーを備えたキーボードやポインティングデバイス等）を有しており、単数又は複数の商品を選択していくことで商品リスト６２を作成可能となっていると共に、機能を選択することで当該機能を実行可能となっている。ＰＣ１２は、作成中のあるいは作成した商品リスト６２を一時的に記憶する図示しない記憶手段を備えている。更に、ＰＣ１２は、図示しない通信手段を搭載しており、インターネットＮを利用した通信が可能となっていて、商品リスト６２を送受信可能である。
【００２５】
携帯端末１４，１６は、それぞれ、ＰＣ１２と同様に、チラシデータ２６を受信して表示可能であり、選択手段により商品リスト６２を作成ないし送受信し、機能を実行することができるようになっている。又、携帯端末１４は、コード４４を読み取る図示しない撮影手段を有する。
【００２６】
図２は、商品情報ＤＢ２４の詳細構成図である。商品情報ＤＢ２４は、商品テーブル８０（図２（ａ））と店別テーブル９０（図２（ｂ））の２種類のテーブルに分けられている。これらのテーブルは、下記ＪＡＮ（Ｊａｐａｎｅｓｅ  Ａｒｔｉｃｌｅ  Ｎｕｍｂｅｒ）コード８１，９１（あるいは商品名８２，９３）によって関連づけられており、これらのテーブルにおける一行（あるいは一行のうち一部の項目を抽出したもの）が一つの商品情報２２となる。なお、商品情報ＤＢ２４につき、１つのテーブルにまとめても良いし、３種以上に分割しても良い。又、ＪＡＮコード８１，９１の代わりに、あるいはこれと併せて、ＩＳＢＮコード等の業界で定められた商品認識のためのコードを用いて良い。
【００２７】
商品テーブル８０は、ここでは次の項目を有している。即ち、ＪＡＮコード８１・商品名８２・品番８３・メーカー名８４・メーカー希望小売価格（希望価格）８５・説明情報８６・画像情報８７・登録日付８８である。店別テーブル９０は、ここでは次の項目を有している。即ち、ＪＡＮコード９１・店舗コード９２・商品名９３・商品分類９４・店頭小売価格（小売価格）９５・独自説明情報９６・独自画像情報９７・登録日付９８である。ＪＡＮコード８１，９１は、ここではプライマリーキーを用いている。登録日付８８，９８は、各テーブルに情報を記録した日付を表す項目である。なお、ＪＡＮコード８１は、ソースマーキングの他、インストアマーキングに対応することができる。
【００２８】
図３は、チラシＤＢ２８の詳細構成図である。チラシＤＢ２８は、ここではチラシ識別情報（チラシＩＤ）１０１・全体画像データ１０２・商品情報データ１０３・商品範囲データ１０４・商品エリアデータ１０５・登録日付１０６・有効期間１０７の項目を有し、これらの項目（あるいはその一部）を１つずつ含む一行が一つのチラシデータ２６となる。
【００２９】
図４は、商品リストＤＢ６４の詳細構成図である。商品リストＤＢ６４は、ここでは生活者Ｕの家族ごとに付与されるＩＤ（商品リスト利用者識別情報）１１０・商品リスト６２ごとに付されるリスト識別情報（リストＩＤ）１１１・ＪＡＮコード１１２・商品名１１３・商品分類１１４・価格１１５・個数１１６・チェックマークの有無を示すチェック１１７・登録日付１１８・有効期間１１９の項目を有し、これらの項目（あるいはその一部）を１つずつ含む一行が一つの商品リスト６２となる。
【００３０】
［動作等］
図５はシステム１の動作を表すフローチャートである。システム１は、適宜の時期において予め、商品情報サーバ２において、商品情報２２の商品情報ＤＢ２４への登録・修正を受け付ける（ステップ１２０）。例えば、ＪＡＮコード８１，９１は、図示しないバーコードスキャナや商品情報サーバ２の入力手段（キーボード等やデータインポート）により入力される。又、画像情報８７については、撮影データやスキャンデータを用いる。なお、店頭小売価格９５・独自説明情報９６・独自画像情報９７等について、図示しない店舗のコンピュータからインターネットＮ等を介して入力を受け付けても良い。又、登録日付８８，９８は、商品情報サーバ２が自身の現在日付情報を参照することで自動的に入力されても良い。
【００３１】
一方、図６の一部に示すように、原稿制作コンピュータ４は、商品情報サーバ２から商品情報２２を適宜受信して、チラシデータ２６を作成する（ステップ１２２）。チラシデータ２６は、各種の商品名８２（あるいは商品名９３）・画像情報８７（あるいは独自画像情報９７）・説明情報８６（あるいは独自説明情報９６）・店頭小売価格９５・任意の文字や画像の一部又は全部を平面にレイアウトすることで、ひとまとまりの画像データとして作成され、この画像データがチラシデータ２６中の全体画像データ１０２となる。なお、レイアウトは、商品ごとに方形に収めずに、画像情報８７の輪郭に沿った形状等で区分けしても良い。
【００３２】
又、チラシデータ２６には、レイアウトした商品に係る商品情報２２（の一部又は全部の項目）につき、商品情報データ１０３として含める。ここでは、商品情報２２のうちのＪＡＮコード８１（ＪＡＮコード９１でも良く、以下同様）を集めたものを、商品情報データ１０３とする。更に、各商品情報２２（ＪＡＮコード８１）と、その商品の全体における範囲とを対応づけ、商品範囲データ１０４に含める。加えて、各商品情報２２につき、商品の分類（野菜・日用品等）あるいは全体画像データ１０２における所定のエリアごとにグループ化し、そのグループ（商品群）を商品エリアデータ１０５としてチラシデータ２６に含める。このようにして作成されたチラシデータ２６は、一時的には原稿制作コンピュータ４の図示しない記憶手段に記憶され、又商品情報サーバ２に送信されてチラシＤＢ２８に格納される。
【００３３】
続いて、原稿制作コンピュータ４は、任意のチラシデータ２６に係る全体画像データ１０２に基づく印刷をして、生活者Ｕへ送付するための紙チラシ４２を作成する（ステップ１２４）。チラシデータ２６は、商品情報サーバ２のチラシＤＢ２８から得ても良いし、原稿制作コンピュータ４の一時記憶を参照しても良い。
【００３４】
紙チラシ４２には、コード４４も印刷される。コード４４は、ここでは商品情報サーバ２のアドレスであって紙チラシ４２（に係るチラシデータ２６）の種類に応じて割り振られたもの（例えば、http://"ドメイン"/"チラシＩＤ"）を二次元コード化したものが付される。なお、当該アドレスの文字表記を、コード４４の隣接部位等に印刷して良い。又、チラシデータ２６の制作・印刷は、店舗からの依頼に応じて有償又は無償で行う。更に、紙チラシ４２の作成（ステップ１２４）は、省略しても良い。
【００３５】
又、商品情報サーバ２は、放送により生活者ＵのＴＶ１０にチラシデータ２６を提供するため、任意のチラシデータ２６をＴＶ局Ｔに送信する（ステップ１２６）。ステップ１２６は、省略しても良い。
【００３６】
更に、商品情報サーバ２は、生活者Ｕ側の各種端末からのアクセスに応じ、チラシデータ２６の送信を行う（ステップ１２８）。生活者Ｕ側の各種端末は、チラシデータ２６の表示を行う。なお、ステップ１２４〜１２８の順番を任意に入れ替えることができる。又、チラシデータ２６の送信は、ＩＤ（識別情報）及びパスワードの入力を受け付けてから後に行うといったように、認証を行っても良い。この場合、パスワードをチラシＤＢ２８においてチラシデータ２６と関連づけて記憶することができ、以下各種ＤＢにおいてパスワードを対応づけて格納可能であることにつき同様である。
【００３７】
例えば、ＰＣ１２は、生活者Ｕ１の入力手段を介した指令に基づき、ブラウザを起動してチラシデータ２６を閲覧するためのウェブサイト（商品情報サーバ２）にアクセスする。当該ウェブサイトにおいて、商品情報サーバ２は、チラシデータ２６の種類につき、地域・店舗等のカテゴリ選択や検索により選択肢を表示すると共に、生活者Ｕ１から入力手段により選択肢の選択入力を受ける等して、図６に示すように、選択した種類に係るチラシデータ２６をＰＣ１２宛で送信する。このチラシデータ２６を受信したＰＣ１２は、記憶手段にチラシデータ２６を記憶すると共に、画面１５０においてチラシデータ２６の全体画像データ１０２（電子チラシ）を表示する。
【００３８】
あるいは、携帯端末１４は、ＰＣ１２と同様にして、チラシデータ２６を受信し、全体画像データ１０２を表示する。又、携帯端末１４は、生活者Ｕ１の操作に基づき撮影手段により紙チラシ４２のコード４４を読み取ると、コード４４に対応するチラシデータ２６の受信・表示を行う。
【００３９】
更に、ＴＶ１０にあっても、受信がデータ放送による他は、ＰＣ１２と同様にしてチラシデータ２６を受信し、全体画像データ１０２を表示する（電子チラシ形式）。又、ＴＶ１０・ＰＣ１２・携帯端末１４において、紙チラシ４２に印刷されたアドレスにつきブラウザへの直接入力を受け付けることによっても、チラシデータ２６の受信・表示を実行することができる。なお、チラシデータ２６につき、受信を予め行っておき、生活者Ｕ１の入力に応じ表示を実行しても良い。
【００４０】
又、チラシデータ２６（電子チラシ）の表示は、次のような態様で行うこともできる。以下、ＰＣ１２の場合について説明するが、ＴＶ１０・携帯端末１４等の他の端末でも同様であり、他のステップでも特に断らない限り同様である。図６に示すように、ＰＣ１２の画面１５０にあっては、全体画像データ１０２に隣接してエリア選択部１５２・上切換ボタン１５４・下切換ボタン１５６も表示される。この表示は、商品情報サーバ２においてその元となるデータを付与し、このデータを共に受信してＰＣ１０のブラウザで読み込むことにより実行される。
【００４１】
チラシデータ２６の全体画像データ１０２は、商品エリアデータ１０５と対応する形で所定のエリアごとに分かれており、エリア選択部１５２では商品エリアデータ１０５に基づいてエリアの選択肢が表示される。ここでは、チラシデータ２６はＡエリア〜Ｆエリアを有し、エリア選択部１５２ではＡエリア表示〜Ｆエリア表示という選択肢が提示されている。なお、図においてＡエリア以外の詳細を示していないが、実際にはＡエリア以外もＡエリアと同様に成っている。
【００４２】
ＰＣ１２は、入力手段を介して、生活者Ｕ１によるこれら選択肢の選択を受け付ける。そして、図７に示すように、例えばＡエリア表示の選択入力を受け付けると、ＰＣ１２は、Ａエリアに相当する全体画像データ１０２の部分を、画面１５０において拡大して表示する（電子チラシ形式での拡大表示）。なお、Ａエリア以外についても、Ａエリアと同様に拡大表示可能である。よって、商品エリアデータ１０５は、ＰＣ１２におけるチラシデータ２６の拡大表示のために提供されるものである。
【００４３】
又、ＰＣ１２は、チラシデータ２６の初期表示時には、上切換ボタン１５４内にカタログ表示の文字を表示しているが、この上切換ボタン１５４への入力を受け付けると、図８に示すように、現在表示しているエリア（あるいは全体）に対応する商品の情報をカタログ形式で表示する。
【００４４】
即ち、ＰＣ１２は、現在表示しているエリア等に対応する商品のグループにつき、商品エリアデータ１０５を参照することで把握し、そのグループに属するＪＡＮコード８１の集合を商品情報データ１０３に基づいて把握する。そして、ＰＣ１２は、これらＪＡＮコード８１を商品情報サーバ２へ送信し、商品情報サーバ２は、これらを受信して商品情報ＤＢ２４を参照し、それぞれの商品名８２（商品名９３）・説明情報８６（独自説明情報９６）・画像情報８７（独自画像情報９７）を得てＰＣ１２に送信し、ＰＣ１２は、これら情報を商品ごとに所定の位置に配し、任意の順番で並べて表示する。
【００４５】
ＰＣ１２は、カタログ形式での表示時には、上切換ボタン１５４内にチラシ表示の文字を表示し、この場合に上切換ボタン１５４への入力があると、図６・図７に示す全体画像データ１０２ないしその拡大画像の表示に戻る。なお、これら商品情報２２の項目を予めチラシデータ２６に含めておき、通信を介することなくカタログ形式で表示して良い。又、項目の一部を通信により取得しても良い。
【００４６】
一方、ＰＣ１２は、チラシデータ２６の初期表示時やカタログ形式での表示時には、下切換ボタン１５６内に一覧表示の文字を表示しているが、下切換ボタン１５６への入力を受け付けると、図９に示すように、現在表示しているエリア（あるいは全体）に対応する商品の情報を一覧形式で表示する。この一覧形式の表示にあっても、ＰＣ１２はカタログ形式と同様にＪＡＮコード８１の集合に基づいて必要な商品情報２２の項目を取得し、参照する。なお、カタログ形式と同様に、項目の一部又は全部をチラシデータ２６に含めておいて良い。
【００４７】
ＰＣ１２は、一覧形式での表示時には、上切換ボタン１５４内にカタログ表示の文字を表示し、この場合に上切換ボタン１５４への入力があると、図８に示すカタログ形式の表示に移行する。又、ＰＣ１２は、一覧形式での表示時には、下切換ボタン１５６内にチラシ表示の文字を表示し、この場合に下切換ボタン１５６への入力があると、図６・図７に示す全体画像データ１０２ないしその拡大画像の表示に戻る。なお、以上の画面１５０における選択肢やボタン等の配置ないし各部のレイアウトは、適宜変更することができる。
【００４８】
そして、生活者Ｕ側の端末は、チラシデータ２６の表示に対する入力等に基づき、商品リスト６２の作成を受け付ける（ステップ１３０）。商品リスト６２は、商品リストＤＢ６４の項目に対応した内容を有しており、ここでは図１０に示すように商品名１１３・商品分類１１４・価格１１５・個数１１６・チェック１１７の項目が表示の対象となっている。商品リスト６２は、基本的には、チラシデータ２６の表示から、リストアップしたい商品を選択入力するにより作成される。
【００４９】
即ち、ＰＣ１２は、電子チラシ形式での表示における商品の画像の範囲内にポインタ等を置いた状態での決定キー等の押下を把握すると、商品範囲データ１０４を参照することでいずれの商品に対する入力であるかを判断し、商品情報データ１０３からその商品のＪＡＮコード８１を得る。よって、チラシデータ２６は、当該範囲への入力に基づく商品リスト６２への商品のリストアップに供される。更に、ＰＣ１２は、カタログ形式での表示の場合と同様にして、商品情報サーバ２あるいはチラシデータ２６から商品名８２（商品名９３）・商品分類９４・小売価格９５（希望価格８５）を得て、順に商品名１１３・商品分類１１４・価格１１５とし、商品リスト６２の一項目に加える。
【００５０】
又、ＰＣ１２は、カタログ形式や一覧形式における項目の選択入力によっても、電子チラシ形式の場合と同様にして商品リスト６２へのリストアップを受け付けることができる。ＰＣ１２は、現在の商品リスト６２につき、一時的に記憶手段において記憶し、あるいは記憶を更新する。又、ＰＣ１２は、現在の商品リスト６２につき、チラシデータ２６等と共に、あるいは表示指令入力に基づき単独で表示することができる（図１０）。なお、ＰＣ１２は、リストアップ受付時、チラシデータ２６の有効期間１０７を参照し、有効期間１０７外であると判断した場合に、その旨の警告を表示し、あるいはリストアップを最終的に受け付けないようにすることができる。又、有効期間１１９を表示することもできる。
【００５１】
更に、ＰＣ１２は、表示中の商品リスト６２に対するある商品の個数１１６の項目についての選択入力があると、個数の入力を受け付け、数字キーの押下及び決定キーの押下等により個数の変更を行う。なお、個数の初期値は１であり、特に入力を受けなくとも個数は１となっている。
【００５２】
加えて、ＰＣ１２は、表示中の商品リスト６２に対するある商品のチェック１１７の項目についての選択入力があると、チェック１１７の状態を（チェック有から無あるいは無から有へ）変更する。なお、チェック１１７の初期状態はチェック無である。又、チェック１１７は、商品リストＤＢ６４ではチェック有を１と表現し、チェック無を０としているが、その他の方式で表現されて良い。
【００５３】
そして、ＰＣ１２は、商品リスト６２の表示における登録ボタン１６０への選択入力を受け付けると、商品リストサーバ６に対する当該商品リスト６２の登録を行う（ステップ１３２）。即ち、ＰＣ１２は、生活者Ｕ１による任意の内容に係る商品リスト６２の作成を受け、登録ボタン１６０が押下された時点での内容を有する商品リスト６２を、通信手段ないしインターネットＮ経由で商品リストサーバ６に送信する。商品リストサーバ６は、商品リスト６２を通信手段により受信すると、発信元のＰＣ１２の種類に応じてＩＤ１１０を付与すると共に、受信日時や受信回数等に応じてリストＩＤ１１１を付与し、商品リスト６２の内容や登録日付１１８と関連づけたうえで商品リストＤＢ６４に格納する。なお、チラシデータ２６の有効期間１０７につき、商品リスト６２の有効期間１１９として商品リストＤＢ６４に格納して良い。
【００５４】
又、ＰＣ１２は、商品リスト６２の表示における履歴ボタン１６２への選択入力を受け付けると、商品リストサーバ６に対し、商品リストＤＢ６４において既に記憶されている商品リスト６２の一覧を要求する。商品リストサーバ６は、当該要求を受けて当該ＰＣ１２の種類に対応する商品リスト６２の一覧をＩＤ１１０に基づき抽出して、当該ＰＣ１２に送信する。商品リストサーバ６は、ここではリストＩＤ１１１の組を一覧として送信する。ＰＣ１２は、当該商品リスト６２の一覧を受信すると、これを表示すると共に、商品リスト６２の選択を受け付ける。ＰＣ１２は、商品リスト６２への選択入力があると、選択された商品リスト６２の内容（ここでは商品名１１３〜チェック１１７）を要求し（商品リスト６２の表示要求）、商品リストサーバ６は、当該要求を受けて当該内容を抽出して当該ＰＣ１２へ送信し、ＰＣ１２は、当該内容を受信して、ブラウザにより表示する。なお、有効期間１１９を表示することもできる。
【００５５】
このように、生活者Ｕ１は、画像等の選択により任意の内容で商品リスト６２を作成し得、又作成した商品リスト６２を表示して閲覧し得る（表示要求に基づく送信に応じた商品リスト６２の表示）。なお、商品リスト６２につき、商品情報サーバ２が一旦受信し、商品リストサーバ６へ転送する等、登録や履歴閲覧の通信経路を適宜変更して良い。又、商品リスト６２の登録や履歴閲覧に関し、認証を行って良い。更に、登録時、ＩＤ１１０やリストＩＤ１１１の付与を、ＰＣ１２側で（ブラウザのクッキー機能を利用して）行っても良い。又、ＩＤ１１０を、各種端末のＩＤ（識別情報）に基づいて付与しても良いし、電子マネーやＩＣプリペイドカードのＩＤに基づいて付与しても良いし、ＴＶ１０等に対して放送局あるいはその関連団体が付与したＩＤに基づいて付与しても良い。加えて、履歴閲覧において、商品リスト６２の一覧表示を省略しても良い。
【００５６】
更に、ＰＣ１２は、商品リスト６２の表示における印刷ボタン１６４への選択入力を受け付けると、自身に接続されている図示しないプリンタ等の印刷手段に対し、商品リスト６２の印刷を行うように指令する。生活者Ｕ１は、印刷手段から、印刷された商品リスト６２を得ることができる。
【００５７】
一方、商品リスト６２の作成者ではない生活者Ｕ２も、商品リスト６２を閲覧することができる（ステップ１３４）。生活者Ｕ２は、例えば商品リスト６２の作成者である生活者Ｕ１の家族であり、商品リスト６２に係るＩＤ１１０やパスワード等を知っている者である。以下、生活者Ｕ２の携帯端末１６に商品リスト６２を表示させて閲覧する場合に付き説明するが、他の端末でも同様に閲覧可能である。
【００５８】
携帯端末１６は、ブラウザにおいて商品リストサーバ６に係るアドレスの入力を受けると、商品リストサーバ６にアクセスし、商品リストサーバ６から認証に係る表示データを受信する。携帯端末１６は、ここではＩＤ１１０の入力を受け付ける表示を行い、ＩＤ１１０の入力があると、これを商品リストサーバ６に送信する。なお、ＩＤ１１０の入力時に併せて認証を行うことができる。又、ＩＤ１１０ごとに付与された商品リストサーバ６のアドレスの直接入力を受けて良い。
【００５９】
商品リストサーバ６は、ＩＤ１１０を受信すると、生活者Ｕ１の履歴閲覧と同様にしてＩＤ１１０に係る商品リスト６２の一覧やその選択表示データを送信し、これを受信した生活者Ｕ２の携帯端末１６は、商品リスト６２の選択入力を受けて選択された商品リスト６２の内容を商品リストサーバ６に要求し（商品リスト６２の表示要求）、商品リストサーバ６は、当該要求に係る商品リスト６２の内容を抽出して携帯端末１６に送信し、携帯端末１６は、当該商品リスト６２の内容を表示手段において表示する。
【００６０】
なお、家族個人にも別のＩＤ１１０を付与すると共に、商品リスト６２の作成者がＩＤ１１０あるいは商品リスト６２の作成時に商品リスト６２を閲覧可能なＩＤ１１０を登録し、当該ＩＤ１１０を有する者の端末だけに商品リスト６２の受信ないし表示を許すようにして良い。又、ＩＤ１１０の他に家族個人のＩＤを付与して良い。更に、チェック１１７等を家族個人（のＩＤ）ごとに任意に付与可能とするため、チェック１１７等の項目に付きＩＤごとに記憶し、チェック１１７等の表示時にＩＤを参照して表示することができる。又更に、チェック１１７等の項目につき、複数パターンで切り換えて入力を受け付け、当該パターンごとに記憶し、パターンを指定して切替表示可能とすることもできる。又、生活者Ｕ２の携帯端末１６から商品リスト６２の修正を受け付けることもでき、当該修正は商品リスト６２の作成と同様になし得る。認証において、閲覧のみ可能か修正まで行い得るかを区別することもできる。更に、商品リスト６２の作成者は、各種端末を用いた電子メール等の通信によって、生活者Ｕ２の端末に対し商品リスト６２閲覧のための情報（商品リスト６２の表示に係るアドレス等）を送信することができ、当該情報を受信した生活者Ｕ２の端末は、当該情報に基づいて（アドレスに係るリンクをたどる等して）、当該商品リスト６２を表示することができる。加えて、商品リスト６２の登録・閲覧・修正等につき、その都度あるいはこれらをなし得る会員としての登録を受け付けた際に対価を得ても良いし、対価を得ず無償で提供しても良い。
【００６１】
又、生活者Ｕにおける商品リスト６２の閲覧表示時、ＰＣ１２（携帯端末１６等の他の端末でも同様である）は、商品リスト６２中の行の選択入力を受け付けると、その行の商品に係る詳細情報の表示を実行する（ステップ１３６）。即ち、ＰＣ１２は、当該選択入力を受けると、その商品のＪＡＮコード８１を商品リストサーバ６へ送信する。商品リストサーバ６は、受信した当該ＪＡＮコード８１について商品情報サーバ２へ送信することで照会し、商品情報サーバ２は、その商品の詳細情報となる、ＪＡＮコード８１に対応する商品情報２２（の項目の一部又は全部）を商品リストサーバ６へ送信する。商品リストサーバ６は、受信した商品情報２２を当該ＰＣ１２へ送信し、当該ＰＣ１２は、受信した商品情報２２（の項目の一部又は全部）を同一画面において、あるいは別画面に推移して表示する。なお、ＪＡＮコード８１ないし商品情報２２の通信につき、（商品リストサーバ６の指令に基づいて）商品情報サーバ２と直接行って良い。
【００６２】
［効果］
以上の商品情報整理・提供支援システム１は、複数の端末（ＴＶ１０・ＰＣ１２・携帯端末１４，１６）と通信可能に接続されたコンピュータ（商品情報サーバ２・原稿制作コンピュータ４・商品リストサーバ６）により構築され、当該端末に、複数の商品に係るチラシデータ２６を送信して表示させる商品情報サーバ２と、前記端末において前記チラシデータ２６から前記商品を選択することで作成され送信された商品リスト６２を受信する商品リストサーバ６とを備えており、前記チラシデータ２６は、その全体画像データ１０２において各商品の占める範囲を表す商品範囲データ１０４を有しており、前記端末における当該範囲への入力に基づく前記商品の選択に供され、前記商品リストサーバ６は、受信した前記商品リスト６２を、互いに識別可能とするリストＩＤ１１１（ＩＤ１１０）を付した状態で格納する商品リストＤＢ６４を有しており、いずれかの前記端末から当該リストＩＤ１１１（ＩＤ１１０）に対応する情報を指定した前記商品リスト６２の表示要求を受信すると、当該リストＩＤ１１１（ＩＤ１１０）に係る商品リスト６２を要求元の前記端末へ送信する。従って、生活者Ｕは、基本的にはチラシデータ２６に係る商品の範囲を指定するだけで、紙チラシに印を打つのと同様の要領にて、商品リスト６２を容易に作成することができる。又、作成した商品リスト６２を作成者（生活者Ｕ１）のみならず他者（生活者Ｕ２）をも閲覧することができ、商品リスト６２を家族等と共有して、家族等に商品の入手（買い物）を簡便確実に依頼することができる。商品リスト６２は、チェック１１７の活用等により、買い物における備忘録（チェックリスト・メモ）とすることができる。又、商品リスト６２は、各種端末で作成・表示・修正可能であるため、店舗・自宅等様々な場所で参照することができ、便利である。更に、商品リスト６２を知人等と共有して、買い物情報の提供をしたり、商品リスト６２の共同作成をしたりすることもできる。
【００６３】
又、前記チラシデータ２６を印刷して紙チラシ４２を作成する原稿制作コンピュータ４（の印刷機）を更に備えている。よって、チラシデータ２６の電子的な提供（電子チラシの提供）と併せて、紙チラシ４２を簡易に提供することができる。
【００６４】
更に、前記紙チラシ４２は、その元となった前記チラシデータ２６を他のチラシデータ２６と識別するチラシＩＤ１０１に対応するコード４４を有しており、前記商品情報サーバ２は、前記端末から前記コード４４あるいはこれに対応する情報を受信すると、当該コード４４ないし情報に係るチラシデータ２６を当該端末へ送信する。よって、紙チラシ４２と電子チラシを連係させることができ、紙チラシ４２からチラシデータ２６の表示・商品リスト６２の作成への案内をすることができる等、紙チラシ４２とチラシデータ２６の有効利用が可能となる。
【００６５】
一方、前記チラシデータ２６は、所定の商品群を示す商品エリアデータ１０５を有しており、前記端末における当該商品群ごとの前記チラシデータ２６の拡大表示に供されるため、生活者Ｕ１が野菜や日用品といった商品群ごとにチラシデータ２６を詳細に閲覧することができ、生活者Ｕ１の商品の選択・商品リスト６２の作成を支援することができる。
【００６６】
又、前記チラシデータ２６は、前記各商品に関する商品情報２２を有しており、前記端末における切換入力に応じて前記商品情報２２の表示がなされるため、チラシデータ２６の全体画像データ１０２では分からない商品の詳細な情報を表示することができ、生活者Ｕ１の商品の選択・商品リスト６２の作成を支援することができる。
【００６７】
他方、前記端末における前記商品情報２２の表示の各表示部分に対する入力によっても、前記商品の選択がなされるため、商品の選択方式が前記範囲指定の他に商品情報２２の指定によってなし得、より一層商品の選択・商品リスト６２の作成を容易にすることができる。
【００６８】
又、前記商品情報は、ＪＡＮコード８１と対応づけられているため、商品情報サーバ２における商品情報２２の予めの入力や、店舗のコンピュータ・ＰＯＳレジとの連動、あるいは商品情報サーバ２・原稿制作コンピュータ４・商品リストサーバ６の連係、又は商品情報の提供が、ＪＡＮコード８１という指標により容易になる。
【図面の簡単な説明】
【００６９】
【図１】本発明に係る商品情報整理・提供支援システムのブロック図である。
【図２】図１における商品情報ＤＢの説明図であり、（ａ）はそのうちの商品テーブルの説明図、（ｂ）はそのうちの店別テーブルの説明図である。
【図３】図１におけるチラシＤＢの説明図である。
【図４】図１における商品リストＤＢの説明図である。
【図５】図１のシステムが実行する商品情報整理支援方法のフローチャートである。
【図６】図１の各種端末におけるチラシデータの表示例の模式図である。
【図７】図１の各種端末におけるチラシデータの表示の別例の模式図である。
【図８】図１の各種端末におけるチラシデータ表示の更に別例の模式図である。
【図９】図１の各種端末におけるチラシデータ表示の更なる別例の模式図である。
【図１０】図１の各種端末における商品リストの表示例の模式図である。
【符号の説明】
【００７０】
１    商品情報整理・提供支援システム（システム）
２    商品情報サーバコンピュータ（商品情報サーバ・商品情報提供部）
４    原稿制作コンピュータ（紙チラシ印刷手段）
６    商品リストサーバコンピュータ（商品リストサーバ・商品リスト提供部）
１０    ＴＶ（端末）
１２    ＰＣ（端末）
１４，１６  携帯端末（端末）
２２    商品情報
２６    チラシデータ
４２    紙チラシ
４４    コード
６２    商品リスト
６４    商品リストデータベース（商品リストＤＢ）
８１，９１  ＪＡＮコード
１０２    全体画像データ
１０４    商品範囲データ
１０５    商品エリアデータ
１１０    ＩＤ
１１１    リストＩＤ
【図１】
2009276836.tif 000003
【図２】
2009276836.tif 000004
【図３】
2009276836.tif 000005
【図４】
2009276836.tif 000006
【図５】
2009276836.tif 000007
【図６】
2009276836.tif 000008
【図７】
2009276836.tif 000009
【図８】
2009276836.tif 000010
【図９】
2009276836.tif 000011
【図１０】
2009276836.tif 000012